(57)【要約】【課題】紙、タオル、衣服等の可燃物Ｍがガード上方に接近・接触することによる火災発生の危険を防止すること。【解決手段】燃料ガスを噴出する複数の気孔を有する平板状の多孔質セラミックバーナを装備し、該多孔質セラミックバーナの前側にガードが設けられているポータブル式暖房器において、前記ガードを複数本の垂直杆と複数本の水平杆（横杆）とを一体化して構成し、垂直杆の上方延長部を内方へ折り曲げて上向傾斜延長ガイド部を形成する。多孔質セラミックバーナとガードとの間の空間ＨＡ、該空間ＨＡの上方端部に位置して、熱風誘導板を装備する。【選択図】図４
2011012870.tif 000002
【特許請求の範囲】
【請求項１】
燃料ガスを噴出する複数の気孔を有する平板状の多孔質セラミックバーナを装備し、該多孔質セラミックバーナの前側にガードが設けられているポータブル式暖房器において、
前記ガードを複数本の垂直杆と複数本の水平杆（横杆）とを一体化して構成し、垂直杆の上方延長部を内方へ折り曲げて上向傾斜延長ガイド部を形成したことを特徴とするポータブル暖房装置。
【請求項２】
燃料ガスを噴出する複数の気孔を有する平板状の多孔質セラミックバーナを装備し、該多孔質セラミックバーナの前側にガードが設けられているポータブル式暖房器において、
前記ガードを複数本の垂直杆と複数本の水平杆（横杆）とを一体化して構成し、垂直杆の上方延長部を内方へ折り曲げて上向傾斜延長ガイド部を形成するとともに
熱風誘導板により、暖房器ケースの上方に向かう熱風を暖房器ケースの前方へ誘導することで、暖房器ケースの天面、前面上方の加熱温度を低下させたことを特徴とするポータブル暖房装置。
【発明の詳細な説明】
【技術分野】
【０００１】
本発明は、ポータブル式暖房器に関し、より詳しくは、被暖房者の近傍に配置して使用する集中暖房用の小型暖房器に関するものである。
【背景技術】
【０００２】
この種のポータブル式暖房器について、ＬＰガスボンベを内装し、ケース前面側に、前記ＬＰガスボンベから供給されるＬＰガスを噴出する複数の気孔を有する平板状の多孔質セラミックバーナを装備し、該多孔質セラミックバーナの前側にガードが設けられているものが公知である。
【特許文献１】登録実用新案公報３０６０３５５号
【発明の開示】
【発明が解決しようとする課題】
【０００３】
この種のポータブル式暖房器は、図６に示すごとく、紙、タオル、衣服等の可燃物Ｍがガード上方に接近・接触すると、火災発生の危険がある。
よって、本願発明は、かかる火災発生の危険を防止することを課題とする。
【課題を解決するための手段】
【０００４】
本発明は、燃料ガスを噴出する複数の気孔を有する平板状の多孔質セラミックバーナを装備し、該多孔質セラミックバーナの前側にガードが設けられているポータブル式暖房器において、前記ガードを複数本の垂直杆と複数本の水平杆（横杆）とを一体化して構成し、垂直杆の上方延長部を内方へ折り曲げて上向傾斜延長ガイド部を形成したことを特徴とする。
第２発明は、第１発明に加えて、多孔質セラミックバーナとガードとの間の空間ＨＡ、該空間ＨＡの上方端部に位置して、熱風誘導板を装備したことを特徴とする。
【発明の効果】
【０００５】
本願第１発明は、上向傾斜延長ガイド部を設け、暖房器ケースの天面と前記上向傾斜延長ガイド部との間に空間ＨＢを形成したから、天面の上方に落下・接近した可燃物への着火・火災発生を防ぐことができる。
【０００６】
本願第２発明は、熱風誘導板により、暖房器ケースの上方に向かう熱風を暖房器ケースの前方へ誘導することで、暖房器ケースの天面、前面上方の加熱温度を低下させて、暖房器ケースの天面の上方に落下・接近した可燃物への着火・火災発生を防ぐことができる。
【図面の簡単な説明】
【０００７】
【図１】本発明のポータブル式暖房器の斜視図である。
【図２】同じく正面図
【図３】同じく側面図
【図４】同じく縦断面図
【図５】本発明の作用説明図
【図６】公知のポータブル式暖房器における、可燃物がガード上方に接触する状態を示す説明図
【発明を実施するための形態】
【０００８】
以下、図面に示す実施例にもとづいて、本発明を詳細に説明する。
【０００９】
図１ないし図４を参照して、３は暖房器ケース、２は多孔質セラミックバーナ、２aはメッシュ板、1はガードである。
【００１０】
暖房器ケース３の内部に、燃料ガスを噴出する複数の気孔を有する平板状の多孔質セラミックバーナ２を内装し、該多孔質セラミックバーナ２の前側にガード1を設けることは、公知のポータブル式暖房器と同様である。
【００１１】
メッシュ板２aは、多孔質セラミックバーナ２と間隔を置いてその前面前方に配置して、メッシュ板２aは、多孔質セラミックバーナ２と間に滞熱空間ＨCを形成して、多孔質セラミックバーナ２の燃焼作用時に該滞熱空間ＨCの温度上昇でメッシュ板２aを赤熱させ、暖房器ケース３の前面の暖房効果を高める。
【００１２】
本発明は、前記ガード１を複数本の垂直杆１０と複数本の水平杆（横杆）１１とを一体化して構成し、垂直杆１０の上方延長部を内方へ折り曲げて上向傾斜延長ガイド部１２を形成する。
【００１３】
上向傾斜延長ガイド部１２の延長部は逆Ｕ状部１３および垂直部１４を経て暖房器ケース３の天板３ａに固定して、垂直杆１０および上向傾斜延長ガイド部１２は暖房器ケース３の天板３ａで支持する。
【００１４】
多孔質セラミックバーナ２とメッシュ板２aとの間の空間ＨＡに位置して、該空間ＨＡの上方部に位置して、熱風誘導板４を装備する。
【００１５】
熱風誘導板４は耐熱性鋼板（たとえばステンレン鋼板）で製作する。
【００１６】
熱風誘導板４の基端は、前記メッシュ板２aの上端に位置し、先端にかけて上方向に傾斜する上向傾斜面を形成している。なお、実施例では、傾斜配置の平面板としたが、上向凸状、断面円弧の曲面板としてもよいことは勿論である。
【００１７】
暖房器ケース３の内部には、図４を参照して、燃焼室Ａおよびカセットボンベ収納室Ｂを装備する。
【００１８】
なお、カセットボンベ収納室Ｂに代えて/追加して、都市ガス、ＬＰガス等の供給ホース用のホース接続器具を装備して、内装するＬＰガスボンベによる熱源に換えて都市ガス等を使用する暖房器具としてもよいものである。
【００１９】
燃焼室Ａとカセットボンベ収納室Ｂとの間、および燃焼室Ａの天面、底面に耐熱性隔壁５を装備する。また、メッシュ板２aは、多孔質セラミックバーナ２と間に滞熱空間ＨCの天面にも耐熱性隔壁５ａを装備する。
【００２０】
図１ないし図４において、６は前面傾斜角を調整自在とする支持台、７は把持用取手、８はガス供給制御装置である。
【００２１】
カセットボンベ収納室ＢにセットしたＬＰガスボンベＣ/またはホース接続器具より、ガス供給制御装置８およびガス供給管(図示省略)を介して、燃焼室Ａへ燃料ガスを供給する。
【００２２】
燃焼室Ａでの燃料ガスの燃焼により、多孔質セラミックバーナ２の前方、すなわち、暖房器ケース３の前面は加熱、暖房される。
【００２３】
前記の暖房作用に際し、図５を参照して、上向傾斜延長ガイド部を設けて、暖房器ケースの天面と前記上向傾斜延長ガイド部との間に空間ＨＢを形成しているので、天面の上方に落下・接近した可燃物Ｍの暖房器ケースの天面への接近を防ぎ、可燃物Ｍ着火・火災発生を防ぐことができる。
【００２４】
滞熱空間ＨCの天面近傍に滞留する熱風は、耐熱性隔壁５ａで上昇(矢印Ｋ０)が阻止されて、メッシュ板２aの上端部よりケース前面に向け吹出すこととなるが、熱風誘導板４により、熱風は暖房器ケースの前方へ誘導される（図５において矢印Ｋ）。
【００２５】
よって、暖房器ケースの天面、前面上方の加熱温度を低下させることで、暖房器ケースの天面の上方に落下・接近した可燃物への着火・火災発生を防ぐことができる。
【００２６】
熱風誘導板４の基端は、前記メッシュ板２aの上端に位置し、先端にかけて上方向に傾斜する上向傾斜面を形成している。なお、実施例では、傾斜配置の平面板としたが、上向凸状、断面円弧の曲面板としてもよいことは勿論である。
【産業上の利用可能性】
【００２７】
携帯式暖房器の火災対策を高めることで、携帯式暖房器の利用を促進して、この種の暖房機器製造業の発展に寄与するものである。
【符号の説明】
【００２８】
１    ガード
２    孔質セラミックバーナ
２a    メッシュ板
３    暖房器ケース、
４    熱風誘導板
１０    垂直杆
１１    水平杆（横杆）
１２    上向傾斜延長ガイド部
１３    逆Ｕ状部
１４    垂直部
【図１】
2011012870.tif 000003
【図２】
2011012870.tif 000004
【図３】
2011012870.tif 000005
【図４】
2011012870.tif 000006
【図５】
2011012870.tif 000007
【図６】
2011012870.tif 000008